(57)【要約】  【課題】  手回り品を収納でき、かつ、他者に着席され、又は、荷物置きとして使用されないような劇場用座席および劇場用座席システム。【解決手段】  床２に立設した側面壁７、前面壁８および背面壁９にて囲まれ、上方に開口部１０が形成された収納部３と、背面壁より上方に延伸された背板５と、前端部近辺が前面壁に軸支されるとともに起倒自在とされ、起立した際は前面壁の上方に延伸して開口部を開放し、かつ、倒した際は水平状態となって開口部を覆い、また、起立位置および水平位置の中間に位置決め可能とされた座席部４と、ＩＣカード・リーダ１３が設けられた肘掛け部６と、収納部に手回り品が収納されていることを検出する荷物検出器１３と、から成る劇場用座席であり、特定座席の番号が記憶されたＩＣ座席カード４０をＩＣカード・リーダにより読取った際、座席と合致する場合に限り、座席部が起倒自在とされる。【選択図】  図５
2011200473.tif 000002
【特許請求の範囲】
【請求項１】
床に立設した左右の側面壁、前面壁および背面壁にて囲まれ、上方に開口部が形成された収納部と、
この収納部の背面壁より上方に延伸された背板と、
前端部近辺が前記前面壁に軸支されるとともに起倒自在とされ、起立した際は前面壁の上方に延伸して前記開口部を開放し、かつ、倒した際はほぼ水平状態となって前記開口部を覆うとともに、前記起立位置および水平位置の中間の任意位置に位置決め可能とされた座席部と、
ＩＣカード・リーダが設けられた肘掛け部と、
前記収納部に手回り品が収納されていることを検出する荷物検出器と、から成る劇場用座席であって、
少なくとも前記座席のうちの特定座席の番号が記憶されたＩＣ座席カードを前記ＩＣカード・リーダにより読取った際、前記座席と合致する番号が記憶されたＩＣ座席カードである場合に限り、前記座席部が起倒自在とされることを特徴とする劇場用座席。
【請求項２】
フロアに立設した左右の側面壁、前面壁および背面壁にて囲まれ、上方に開口部が形成された収納部と、
この収納部の背面壁より上方に延伸された背板と、
前記前面壁部分に前端部近辺が軸支された座席部と、
ＩＣカード・リーダが設けられた肘掛け部と、
前記前面壁を回動基点として前記座席部を起倒自在とする座席制御部と、
着座、退席、中座を指示する座席使用状態指示部と、
前記収納部に手回り品が収納されていることを検出する荷物検出器と、を備えた劇場用座席と、
少なくとも特定座席の番号をＩＣ座席カードに記憶して発行するＩＣ座席カード発行部と、
前記ＩＣカード・リーダ、前記座席制御部、座席使用状態指示部、荷物検出器、並びにＩＣ座席カード発行部と接続され、各部の制御を行なう制御部と、を備えた劇場用座席システムであって、
前記ＩＣカード・リーダにて前記ＩＣ座席カードを読取った際、前記制御部が前記特定座席の番号と合致する座席と判定した場合に限り前記各部の制御が可能とされ、
前記座席状態指示部により、着座が指示された場合は前記開口部を覆うようにほぼ水平状態に、また、退席が指示された場合は前記開口部を開放するように前面壁の上方に延伸して起立状態に、さらに、中座が指示された場合は前記起立位置および水平位置の中間の傾斜状態に、前記座席制御部を制御して前記座席部をおのおのの状態に回動して位置決めすることを特徴とする劇場用座席システム。
【請求項３】
前記制御部には、さらに、退席確認用のＩＣ座席カード回収部が接続され、観劇終了時、ＩＣカード回収部を介して前記ＩＣ座席カードの特定座席の番号を読取るとともに、この特定座席の荷物検出器による荷物の収納有無状態を判定し、収納されていると判定された場合はアラームを発することを特徴とする請求項２に記載の劇場用座席システム。
【発明の詳細な説明】
【技術分野】
【０００１】
本発明は、特に、かばんやハンドバックなどの手回り品を収納可能とするとともに、記憶媒体により観客を管理する劇場用座席および劇場用座席システムに関する。
【背景技術】
【０００２】
従来、コンサートホールや劇場、映画館などに使用される椅子（劇場用座席）としては、座席部が背部側に跳ね上げ可能な、いわゆる跳ね上げ椅子が設置されている（例えば、特許文献１参照）。
観劇時、かばんやハンドバックなどの手回り品は通常、膝の上に載せたり、着席したときの足と自分の座席との間の足元、または前の座席の背部と足の間の通路に置くことが行なわれるが、かばんを膝の上に載せると重たいため、観劇に集中できないことがあるという問題があった。
かといって、足元、あるいは、着席した足の前の通路は手回り品を置くには狭く、かつ、フロアに直置きになるので汚れる懸念があるため、近くの空席を手回り品置きの代わりにすることが多く、荷物（手回り品）などが座席に置いてあると中座しているのか、或いは近くの人の手回り品かが分からないため声を掛けにくく、空席であるにも拘らず座れないという問題があった。
また、中座する際、置いておくと荷物が心配なため、かばんなどの手回り品を持ち歩く必要があったため、面倒であるという問題があり、手回り品を収納できるような座席が希望されていた。
さらに、手回り品を収納してある元の座席が他者に座られないよう、確保できるような座席が望まれた。
【先行技術文献】
【特許文献】
【０００３】
【特許文献１】特開２００３−２５９１５２号公報
【発明の概要】
【発明が解決しようとする課題】
【０００４】
本発明は、上記の問題点に着目して成されたものであり、手回り品を収納できるとともに、他者に着席され、あるいは、荷物置きとして使用されないような劇場用座席および劇場用座席システムを提供することを課題とする。
【課題を解決するための手段】
【０００５】
本発明に係る劇場用座席は、床に立設した左右の側面壁、前面壁および背面壁にて囲まれ、上方に開口部が形成された収納部と、この収納部の背面壁より上方に延伸された背板と、前端部近辺が前記前面壁に軸支されるとともに起倒自在とされ、起立した際は前面壁の上方に延伸して前記開口部を開放し、かつ、倒した際はほぼ水平状態となって前記開口部を覆うとともに、前記起立位置および水平位置の中間の任意位置に位置決め可能とされた座席部と、ＩＣカード・リーダが設けられた肘掛け部と、前記収納部に手回り品が収納されていることを検出する荷物検出器と、から成る劇場用座席であって、少なくとも前記座席のうちの特定座席の番号が記憶されたＩＣ座席カードを前記ＩＣカード・リーダにより読取った際、前記座席と合致する番号が記憶されたＩＣ座席カードである場合に限り、前記座席部が起倒自在とされることを特徴とする。
また、本発明に係る劇場用座席システムは、フロアに立設した左右の側面壁、前面壁および背面壁にて囲まれ、上方に開口部が形成された収納部と、この収納部の背面壁より上方に延伸された背板と、
前記前面壁部分に前端部近辺が軸支された座席部と、ＩＣカード・リーダが設けられた肘掛け部と、
前記前面壁を回動基点として前記座席部を起倒自在とする座席制御部と、着座、退席、中座を指示する座席使用状態指示部と、前記収納部に手回り品が収納されていることを検出する荷物検出器と、を備えた劇場用座席と、少なくとも特定座席の番号をＩＣ座席カードに記憶して発行するＩＣ座席カード発行部と、前記ＩＣカード・リーダ、前記座席制御部、座席使用状態指示部、荷物検出器、並びにＩＣ座席カード発行部と接続され、各部の制御を行なう制御部と、を備えた劇場用座席システムであって、前記ＩＣカード・リーダにて前記ＩＣ座席カードを読取った際、前記制御部が前記特定座席の番号と合致する座席と判定した場合に限り前記各部の制御が可能とされ、前記座席状態指示部により、着座が指示された場合は前記開口部を覆うようにほぼ水平状態に、また、退席が指示された場合は前記開口部を開放するように前面壁の上方に延伸して起立状態に、さらに、中座が指示された場合は前記起立位置および水平位置の中間の傾斜状態に、前記座席制御部を制御して前記座席部をおのおのの状態に回動して位置決めすることを特徴とする。
さらに、制御部には、退席確認用のＩＣ座席カード回収部が接続され、観劇終了時、ＩＣカード回収部を介してＩＣ座席カードの特定座席の番号を読取るとともに、この特定座席の荷物検出器による荷物の収納有無状態を判定し、収納されていると判定された場合はアラームを発するようにできる。
【発明の効果】
【０００６】
本発明は、少なくとも座席のうちの特定座席の番号が記憶されたＩＣ座席カードをＩＣカード・リーダにより読取った際、座席と合致する番号が記憶されたＩＣ座席カードである場合に限り、座席部が起倒自在とされ、ＩＣ座席カードが該当の座席で使用された場合のみ座席部の起倒位置を変更できるので、ＩＣ座席カードを鍵代わりとして使用でき、かつ、手回り品を安全な状態で収納可能とするという効果がある。
また、制御部に、さらに、退席確認用のＩＣ座席カード回収部を接続し、観劇終了時、ＩＣカード回収部を介してＩＣ座席カードの特定座席の番号を読取るとともに、この特定座席の荷物検出器による荷物の収納有無状態を判定し、収納されていると判定された場合はアラームを発するようにすれば、観客が手回り品を収納し忘れたまま退場する虞が回避されるものである。
【図面の簡単な説明】
【０００７】
【図１】本発明の劇場用座席システムの構成を示すブロック図である。
【図２】同、システムで使用される座席の平面図である。
【図３】同、図２中、矢示ＩＩＩ方向より見た概略側面説明図である。
【図４】同、図２中、矢示ＩＶ方向より見た概略側面説明図である。
【図５】同、中座時の座席状態を示す図３相当の概略側面説明図である。
【図６】同、図２中、矢示ＶＩ方向より見た肘掛け部の拡大側面説明図である。
【図７】同、システムで使用されるＩＣ座席カードを示す説明図である。
【図８】同、処理フローである。
【発明を実施するための形態】
【０００８】
以下、本発明の一実施の形態につき、図１ないし図８に基づいて説明する。
図１は、本発明に係る劇場用座席システムの構成を示すブロック図である。
同図に示すように、劇場用座席システムは、ホスト側装置群３０と座席側装置群２０とから構成されている。
ホスト側装置群３０は、ＩＣ座席カード４０と、このＩＣ座席カード４０を発行するＩＣ座席カード発行部３１と、前記ＩＣ座席カード４０を回収するＩＣ座席カード回収部３２と、ホスト側制御装置３３とから構成される。
【０００９】
ここでＩＣ座席カード４０につき、主に、図７に基づき説明する。
同カード４０は、自身の識別コード等の情報が記憶されたＩＣチップ４１を内蔵しており、かつ、表面に座席番号表示部４２、開演日表示部４３および入場時間表示部４４が形成されている。
各表示部４２、４３、４４は、「リライト印字エリア」となっており、白濁印字方式やロイコ印字方式により書換えが可能になっている。
【００１０】
図１に戻って、ＩＣ座席カード発行部３１は、図示省略の劇場の入口近辺に配設され、前記ＩＣ座席カード４０を発行するものであり、前記ＩＣチップ４１に対して空いている特定座席の番号（空席番号）を記憶するとともに、座席番号表示部４２には、前記ＩＣチップ４１に記憶した番号と同じ特定座席の番号（図７の例では、「に列１２番」）を記憶し、また、開演日表示部４３には、開演日である本日日付（図７の例では、「△月□日」）、さらに、入場時間表示部４４には、発行した時間（図示の例では、「午後６時２０分」）を各々書込み・表示し、かつ、書込んだ情報と同じ開演日および入場時間をＩＣチップ４１にも記憶するようになっている。
【００１１】
ＩＣ座席カード回収部３２は、図示省略の劇場の出口近辺に配設され、前記ＩＣ座席カード４０を回収する際に、前記ＩＣチップ４１に記憶した座席の番号等を消去すると共に、前記各表示部４２、４３、４４の表示内容を消去するようになっている。なお、消去した番号は、「空席番号」の情報としてホスト側制御装置３３にて管理される。
【００１２】
ホスト側制御装置３３は、前記ホスト側装置群３０のＩＣ座席カード発行部３１およびＩＣ座席カード回収部３２との間、並びに後述する座席側装置群２０の間で、図示省略の前記特定座席の番号などの情報の授受、および各種信号の授受を有線または無線にて行なえるようになっている。信号や情報の授受については、後述する。
【００１３】
座席側装置群２０は、前記ホスト側制御装置３３に接続されるＩＣカード・リーダ１１、座席調整部１２、荷物検出器１３、および着座使用状態指示部１４と、前記座席調整部１２に接続される座席部４（図２ないし図５参照）、前記荷物検出器１３に接続される収納部３（図２ないし図５）などより構成されており、ホスト側制御装置３３との間で、各種信号や情報の授受が行えるようになっている。信号や情報の授受については、後述する。
【００１４】
次に、主に、図２ないし図５に基づいて本発明に係る劇場用座席を説明する。
図２は、劇場用座席が連なった状態を示す平面図、図３ないし図５は、概略側面説明図であり、図６は、肘掛け部の拡大側面説明図である。なお、説明の都合上、一部を想像線にて図示している。
劇場用座席（以下、単に「座席」と称する）１は、主に、床２に設けられた「基体」としての収納部３と、収納部３の上方に設けられた座席部４と、背板５と、肘掛け部６とを備える。
収納部３は、床２に立設した左右の側面壁７ａ、７ｂ、前面壁８、背面壁９にて囲まれ、上方に開口部１０が形成されており、開口部１０よりかばんなどの手回り品２２が収納できるようになっている。なお、説明の都合上、図２ないし図５においては、収納部３を想像線にて図示するとともに、「側面壁」は、片側の側面壁７ａのみを図示してある。
背板５は、前記背面壁５より上方に延伸されている。
【００１５】
また、座席部４は、前端部近辺が前記前面壁８の上端部に設けられた支持部２１において回動自在に軸支されるとともに、起倒自在とされる。すなわち、起立した際は前面壁８の上方に延伸して前記開口部１０を開放して（図３参照）手回り品２２の収納・取り出しを容易とし、また、倒した際は、ほぼ水平状態となって開口部１０を覆って手回り品２２を取り出せないようにすると共に、着座できるようになっている（図４参照）。さらに、この座席部４は、前記起立位置（図３）と着座が可能な水平位置（図４）の中間の任意位置（図５参照）に位置決め可能となっており、これらの位置決めは、座席調整部１２を介して座席部４に送信される前記ホスト側制御装置３３よりの信号によって行なわれるようになっている。
なお、前記支持部２１には、図示省略のギア群が設けられ、このギア群（図示省略）の回動により座席部４を所定の位置に回動・位置決めできるようになっている。
また、空席時は、他の観客が荷物を置いて占有したり、或は、座ったりする不正使用を防止するため、座席部４は起立した状態（図３参照）となっている。
【００１６】
肘掛け部６には、前端部に前記ＩＣカード・リーダ１１、および一方の側面部に前記座席使用状態指示部１４が設けられており、ＩＣカード・リーダ１１にＩＣ座席カード４０を挿入することにより読取り可能とている。そして、ＩＣ座席カード４０がＩＣカード・リーダ１１にて読取られると、ＩＣ座席カード４０に記憶された特定座席の番号と、座席の番号（図示省略）がホスト側制御装置３３にて比較され、合致する座席１と判定された場合に限り、同座席の各部の制御が可能とされるようになっている。
【００１７】
座席調整部１２は、前記座席部４の前記起倒状態を制御するための制御装置であり、ホスト側制御装置３３よりの信号により前記支持部２１のギア群（図示省略）を回動することにより座席部４を所定の位置に位置決めする役目をもっている。
【００１８】
荷物検出器１３は、前記収納部３にかばん等の手回り品２２を入れた際に、「収納物有り」を検出するための「検出装置」であり、重量計の採用が可能である。この「収納物有り」の信号は、接続されるホスト側制御装置３３に送信される。
【００１９】
また、座席使用状態指示部１４は、主に、図６に示すように、着座ボタン１４ａ、退席ボタン１４ｂ、中座ボタン１４ｃより成っている。
着座ボタン１４ａは、初めに着座する際に押すボタンであり、着席部４は、空席で起立した位置（図３）よりほぼ水平位置（図４）に位置決めされる。
退席ボタン１４ｂは、観劇終了の退席・退場時に押すボタンであり、座席部４は水平位置より起立位置に回動して位置決めされるとともに、ＩＣカード・リーダ１１よりＩＣ座席カード４０が取り外し可能となる。前端部が前面壁８にて回動自在とされる座席部４が、起立状態となって開口部１０を大きく開放するため、手回り品２２が取り出し易いものである。
中座ボタン１４ｃは、トイレや売店などに行く際に押すボタンであり、座席部４は、退席時の起立位置（図３）と着座が可能な水平位置（図４）の中間の任意位置（図５参照）に位置決めされるようになっており、座席部４は、開口部１０が余り開かない状態、すなわち、やや斜めに傾斜した状態に回動して位置決めされるものであり、収納部３に手回り品２２が入っていたとしても取り出せない程度に開口部１０は開き、中座していることが認識可能となるだけでなく、他の観客が賜り品２２などの荷物を置いたり、或は、座ろうとしても不安定な状態であるため、不正使用を防止できるものである。なお、中座ボタン１４ｃが押されると、ＩＣカード・リーダ１３よりＩＣ座席カード４０が、図示省略のバネ等の作用により飛び出して取り外しできるようになっており、このため、取り忘れて中座することが防止できるようになっている。
【００２０】
次に、主に、図８に基づき、劇場用座席システムの処理につき、説明する。
ステップＳ０１にて、ＩＣ座席カード４０を発行する。すなわち、ホスト側制御装置３３にて管理している「座席情報」より特定座席の番号（空席）を選択し、ＩＣ座席カード発行部３１を介して座席の番号、開演日、開演時間をＩＣチップ４１および座席番号表示部４２、開演日表示部４３、および入場時間表示部４４の「リライト印字エリア」の各表示部に書込む。
ステップＳ０２にて、ＩＣ座席カード４０を読取る。すなわち、入口（図示省略）近辺で発行されたＩＣ座席カード４０を特定座席（該当座席）の肘掛け部６に設けられたＩＣカード・リーダ１１にて読取らせる。
ステップＳ０３にて、当該の座席番号か否かを判定する。すなわち、ステップＳ０２で読取ったＩＣ座席カード４０に書込まれた特定座席の番号と該当座席１の番号（図示省略）をホスト側制御装置３３へ送信し、ホスト側制御装置３３にて同番号が合致するか否かを判定し、合致した場合のみ、ステップＳ０４にて座席の使用を許諾して、以降の座席１の起倒を自在とする。
他方、合致しなかった場合は、ステップＳ０５にて、既知の方法によるアラーム（図示省略）を発して終了する。なお、アラームは、ブザーや音声などが採用可能であるが、劇場という場所の特異性に鑑みると、淡いＬＥＤなどの発光による方法が好ましい。
ステップＳ０６にて、手回り品２２の収納の有無を判定する。すなわち、手回り品２２が収納部３に収納された場合は、荷物検出器１３により「手回り品の収納有り」が認識されるため、この信号をホスト側制御装置３３に送り、ステップＳ０７にて、図示省略の収納部使用フラグをＯＮとする。
ステップ０８にて、押された着席使用状態指示部１４が着座ボタン１４ａか否かをホスト側制御装置３３にて判定し、着座ボタン１４ａと判定された場合は、ステップＳ０９にて、ホスト側制御装置３３より座席調整部１２を介して「着座位置に位置決め」の信号を出し、支持部２１のギア群（図示省略）を回動して座席部４をほぼ水平位置に位置決めするとともに、ステップＳ０８に戻って、次に着席使用状態指示部１４より入力指示があるまで待機する。
また、ステップ１０にて、中座ボタン１４ｂが押されたか否かをホスト側制御装置３３にて判定し、中座ボタン１４ｂと判定された場合は、ステップＳ１１にて、座席部４を起立状態と水平状態の中間の傾斜状態に位置決めするとともに、ステップＳ１２にて、ＩＣ座席カード４０を取り外し可能とする。
さらに、ステップＳ１３にて、退席ボタン１４ｃが押されたか否か判定し、退席ボタン１４ｃｔｐ判定された場合は、ステップＳ１４にて、座席部４を起立状態に位置決めするとともに、ステップＳ１５にて、ＩＣ座席カード４０を取り外し可能とする。
退席の場合は、ステップＳ１６にて、ＩＣ座席カード４０の回収を行なう。すなわち、出口（図示省略）近辺に設けたＩＣ座席カード回収部３２にて、ＩＣ座席カード４０を読取るとともに、ステップＳ１７にて、読取った当該座席の番号の収納部使用フラグ（図示省略）をホスト側制御装置３３にて判定することにより手回り品２２が収納部３に有るか否かを判定し、「収納部に手回り品有り」と判定された場合は、ステップＳ１８にて、退場する観客にアラーム（図示省略）を発して注意を促す。
他方、ステップＳ１６にて、「収納部に手回り品なし」と判定された場合は、ステップＳ１９にて、当該特定番号の座席を「空席」にし、かつ、前記図示省略の収納部使用フラグをＯＦＦにするとともに、座席部４を強制的に起立位置に回動する。さらに、ＩＣ座席カード回収部３２を介してＩＣ座席カード４０のＩＣチップ４１に記憶された座席番号、および座席番号表示部４２、開演日表示部４３、入場時間表示部４４を初期値（ゼロ）に書き替える。
【００２１】
上述したように、座席１は、ＩＣカード・リーダ１１にて読取ったＩＣ座席カード４０の座席番号と特定座席の番号が合致した場合に限り座席１が起倒自在とされるため、ＩＣ座席カード４０が「鍵（キー）」代わりとなり、しかも、床２に立設した収納部３に手回り品２２を収納できるようにするとともに、座席調整部１２を介して座席部４を起倒自在とし、しかも、座席部４の起倒位置は、退席時には、開口部１０を開放する位置に起立して収納部３よりの手回り品２２の取り出しを容易とし、また、着席時には、座席部４はほぼ水平状態に位置決めされて着座を可能とし、さらに、中座時には、前記倒立位置と水平位置の中間の傾斜状態の位置に座席部４を位置決め可能とするため、中座であることが一目で認識できるとともに、飛び出して取り外し可能となった「鍵（キー）代わり」のＩＣ座席カード４０を携帯すれば、手回り品２２は安全に収納された状態であり、さらに、他の観客の荷物置きになるなどの不正使用が防止されるものである。
【００２２】
なお、上記実施の形態の構成及び動作は例であって、本発明の趣旨を逸脱しない範囲で適宜変更することができることは言うまでもない。
【符号の説明】
【００２３】
１    劇場用座席
２    床
３    収納部
４    座席部
５    背板
６    肘掛け部
７、７ａ、７ｂ    側面壁
８    前面壁
９    背面壁
１０  開口部
１１  ＩＣカード・リーダ
１２  座席調整部
１３  荷物検出器
１４  着席使用状態指示部
１４ａ  着座ボタン
１４ｂ  退席ボタン
１４ｃ  中座ボタン
２０  座席側装置群
２１  支持部
２２  手回り品（かばん）
３０  ホスト側装置群
３１  ＩＣ座席カード発行部
３２  ＩＣ座席カード回収部
３３  ホスト側制御装置
４０  ＩＣ座席カード
４１  ＩＣチップ
４２  座席番号表示部
４３  開演日表示部
４４  入場時間表示部
【図１】
2011200473.tif 000003
【図２】
2011200473.tif 000004
【図３】
2011200473.tif 000005
【図４】
2011200473.tif 000006
【図５】
2011200473.tif 000007
【図６】
2011200473.tif 000008
【図７】
2011200473.tif 000009
【図８】
2011200473.tif 000010